(57)【特許請求の範囲】
【請求項１】
便器本体に対して着脱可能であり、洗浄機構に向けて給水を行う給水機能部と、前記給水機能部から突出した形態であって外部からの給水を受けるための接続端部とを備えた給水装置と、
前記給水装置と一体をなして前記便器本体に対して着脱可能であり、前記給水機能部を覆うとともに前記接続端部を外面側へ突出させるカバーと、
前記カバーの外方において前記接続端部の近傍に位置することにより前記接続端部を異物の干渉から保護する保護形態と、前記接続端部から遠ざかって前記接続端部の保護を解除する解除形態との間での変位が可能な保護手段とを備え、
前記保護手段が、前記カバーとは別体の部品であって、前記カバーに取り付けられることで前記保護形態となり、
前記接続端部は、前記便器本体の後端よりも後方に配されて、前記カバーの最下面、最側面及び最後面のうちいずれかの外面から突出していることを特徴とする便器における給水装置の保護構造。
【請求項２】
前記保護手段を、前記カバーから離脱されることで前記解除形態へ変位するものとした上で、
前記保護手段とは別体の部品からなり、前記カバーに対する前記保護手段の着脱経路を遮る遮断位置と、前記保護手段の着脱経路外へ退避する退避位置との間での変位を可能としたストッパを備えていることを特徴とする請求項１記載の便器における給水装置の保護構造。
【発明の詳細な説明】
【技術分野】
【０００１】
本発明は、便器における給水装置の保護構造に関するものである。
【背景技術】
【０００２】
特許文献１には、便器本体に対して着脱可能であり、ロータンクや局部洗浄機構に向けて給水を行う給水機能部と、給水機能部から突出した形態であって水道管からの給水を受けるための接続端部とを備えた給水装置において、カバーから突出している接続端部を保護する技術が開示されている。この保護手段は、カバーの外面から接続端部の近傍に位置するように保護リブを突出させた構造となっている。給水装置を便器本体に取り付けるための施工時には、給水装置を床に仮置きしたときに、接続端部が直接床に当たるのを保護リブによって防止し、接続端部が給水装置の重みで破損することが防止されるようになっている。
【先行技術文献】
【特許文献】
【０００３】
【特許文献１】特開２００１−３４８９３８号公報
【発明の概要】
【発明が解決しようとする課題】
【０００４】
施工作業においては、給水装置を便器本体に取り付けた後に、水道管から延ばした給水用配管を接続端部に接続する作業が行われ、また、施工後も、接続端部内に収容されているストレーナを使用者がメンテナンスのために着脱することがある。これらの作業を行う場合、保護リブが接続端部に接近した位置にあると、保護リブが作業の邪魔になる虞があり、保護リブを接続端部から遠い位置に配置すると、保護機能が十分に発揮されなくなる。
【０００５】
本発明は上記のような事情に基づいて完成されたものであって、接続端部を確実に保護しながら、接続端部に対する各種作業を容易に行えるようにすることを目的とする。
【課題を解決するための手段】
【０００６】
上記の目的を達成するための手段として、請求項１の発明は、便器本体に対して着脱可能であり、洗浄機構に向けて給水を行う給水機能部と、前記給水機能部から突出した形態であって外部からの給水を受けるための接続端部とを備えた給水装置と、前記給水装置と一体をなして前記便器本体に対して着脱可能であり、前記給水機能部を覆うとともに前記接続端部を外面側へ突出させるカバーと、前記カバーの外方において前記接続端部の近傍に位置することにより前記接続端部を異物の干渉から保護する保護形態と、前記接続端部から遠ざかって前記接続端部の保護を解除する解除形態との間での変位が可能な保護手段とを備え、前記保護手段が、前記カバーとは別体の部品であって、前記カバーに取り付けられることで前記保護形態となり、前記接続端部は、前記便器本体の後端よりも後方に配されて、前記カバーの最下面、最側面及び最後面のうちいずれかの外面から突出しているところに特徴を有する。
【０００７】
請求項２の発明は、請求項１に記載のものにおいて、前記保護手段を、前記カバーから離脱されることで前記解除形態へ変位するものとした上で、前記保護手段とは別体の部品からなり、前記カバーに対する前記保護手段の着脱経路を遮る遮断位置と、前記保護手段の着脱経路外へ退避する退避位置との間での変位を可能としたストッパを備えているところに特徴を有する。
【発明の効果】
【０００８】
＜請求項１の発明＞
給水装置を便器本体に取り付ける前は、保護手段を保護形態に保持しておけば、接続端部に対する異物の干渉を防止することができる。また、給水装置を便器本体に取り付けた後は、保護手段を、保護形態から解除形態へ変位させて接続端部から遠ざければ、接続端部に関する各種作業を行う際に、保護手段が作業の邪魔にならずに済む。また、接続端部を保護する際には、保護手段をカバーに取り付けてストッパを遮断位置に留め置けば、保護手段が保護形態に保持される。
【０００９】
＜請求項２の発明＞
接続端部の保護を解除する際には、ストッパを遮断位置から退避位置へ変位させた後、保護手段をカバーから離脱して解除形態へ変位させればよい。
【図面の簡単な説明】
【００１０】
【図１】実施形態１において保護部材が保護形態となっている状態をあらわす断面図
【図２】保護部材を解除形態へ変位させた後の状態をあらわす断面図
【図３】保護部材が保護形態となっている状態をあらわす底面図
【図４】実施形態２において保護部材が保護形態となっている状態をあらわす断面図
【図５】保護部材が解除形態へ変位した状態をあらわす断面図
【図６】底面図
【図７】実施形態３において保護部材が保護形態となっている状態をあらわす断面図
【図８】保護部材を解除形態へ変位させた後の状態をあらわす断面図
【図９】保護部材が保護形態となっている状態をあらわす底面図
【図１０】保護部材を解除形態へ変位させた後の状態をあらわす底面図
【発明を実施するための形態】
【００１１】
＜実施形態１＞
以下、本発明を具体化した実施形態１の保護構造Ａを図１〜図３を参照して説明する。便器本体１０の後部上面には、周知形態のリヤプレート（図示省略）を介して給水装置２０が取り付けられるようになっている。給水装置２０は、ロータンク１１（本発明の構成要件である洗浄機構）と局部洗浄機構１２（本発明の構成要件である洗浄機構）に向けて給水を行うための装置であり、給水機能部２１と接続端部２８とを備えて構成されている。
【００１２】
給水機能部２１は、内部に第１流路２３と第２流路２４が形成されたハウジング２２と、ハウジング２２内に設けた電磁開閉弁２５とを備えて構成されている。第１流路２３は、ハウジング２２を上下方向に貫通しており、その上端部（下流側端部）は、ロータンク１１側へ水を流出させるための第１流出ポート２６となっている。第２流路２４は、第１流路２３の途中から分岐しており、第２流路２４の下流側端部は、局部洗浄機構１２側へ水を流出させるための第２流出ポート２７となっている。また、電磁開閉弁２５は、第２流路２４の途中に設けられていて、第２流路２４における水の流通を制御する。
【００１３】
接続端部２８は、ハウジング２２に一体に形成されて、ハウジング２２（給水機能部２１）の底面から下方へ突出した形態の筒部２９と、筒部２９の側面に開口するように形成した流入ポート（図示省略）と、筒部２９内に収容されたストレーナ３０とを備えて構成されている。筒部２９の下端部には、ストレーナ３０の下端部を覆い隠して保護するためのキャップ（図示省略）が取り付けられるようになっており、キャップを外すことによりストレーナ３０を筒部２９に対して着脱できるようになっている。
【００１４】
給水装置２０のうち給水機能部２１は、合成樹脂製のカバー３１内に収容されている。カバー３１は、給水装置２０及び給水装置２０が固定されているリヤプレートと一体をなして便器本体１０に取り付けられるようになっている。カバー３１は、水平な底板部３２と、底板部３２の周縁から上方へ立ち上がる側板部３３とを備えている。カバー３１を便器本体１０に取り付けた状態では、底板部３２が便器本体１０の上面とほぼ同じ高さに位置する。
【００１５】
底板部３２は、給水機能部２１の下方に位置し、給水機能部２１の下面側を覆うようになっている。底板部３２には、その後縁及び一方の側縁に近い領域を上下に貫通させた形態の貫通孔３４が形成されている。そして、接続端部２８はこの貫通孔３４を貫いて底板部３２の下方（即ち、カバー３１の外方）へ下向きに突出している。また、底板部３２のうち底板部３２の後縁と貫通孔３４との間の領域には、後縁に沿って左右方向に直線状に延びる嵌合溝３５が形成されている。図３に示すように、嵌合溝３５の一端は、底板部３２の側縁に着脱口３６として開放されており、この着脱口３６は、後述する保護部材４０（本発明の構成要件である保護手段）をカバー３１に対して着脱するための着脱経路の一部を構成している。カバー３１に対する保護部材４０の着脱方向は、接続端部２８の突出方向と交差する方向である。
【００１６】
便器本体１０には、便器本体１０及びリヤプレートに対して相対的に昇降可能とされた周知形態のフロントプレート（図示省略）が取り付けられている。フロントプレートには、便座（図示省略）や便蓋（図示省略）等が取り付けられている。そして、このフロントプレートには、底板部３２の後縁及び一方の側縁に沿うように配された屈曲板状をなすストッパ１３が、フロントプレートと一体となって上下動し得るように形成されている。このストッパ１３は、保護部材４０とは別体の部品であって、ストッパ１３の移動方向は接続端部２８の突出方向とほぼ平行な方向となっている。
【００１７】
フロントプレートは、常には、下降した位置に保持されており、この状態では、ストッパ１３は、着脱口３６を側方から塞いで保護部材４０の着脱経路を遮断する遮断位置（図１を参照）に位置する。また、清掃等のメンテナンスを行う場合には、フロントプレートを上昇させることができる。このフロントプレートの上昇により、ストッパ１３は、着脱口３６よりも上方であって、保護部材４０の着脱経路に対して上方へ退避した退避位置（図２を参照）に位置する。
【００１８】
保護部材４０は、カバー３１とは別体部品として成形された合成樹脂製の単一部品であり、図１，３に示すように、板厚方向を前後方向に向けた支持板部４１と、支持板部４１の下端縁から前方（嵌合溝３５側から接続端部２８側に向かう方向）へ略水平に延出した形態の水平板部４２と、水平板部４２の左右両端縁のうち着脱口３６に近い側の端縁から上方へ延出した形態の保護板部４３とを備えている。支持板部４１の板厚寸法（前後方向の寸法）は、嵌合溝３５の溝幅寸法と同じか、それよりも少し小さい寸法とされている。
【００１９】
図１に示すように、支持板部４１の上端縁には、支持板部４１から前方と後方へ張り出した形態であって左右方向に延びる一対の係止リブ４４が形成されている。また、保護板部４３の上端の係止縁部４５の高さは、係止リブ４４よりも少し低い高さに設定されている。この係止縁部４５と係止リブ４４の上下間隔は、カバー３１の底板部３２の板厚寸法と同じか、それよりも少し大きい寸法とされている。
【００２０】
かかる保護部材４０は、カバー３１に対して着脱可能となっている。保護部材４０をカバー３１に取り付ける際には、まず、ストッパ１３を退避位置まで上昇させておき、その状態で、支持板部４１の上端縁部を着脱口３６から嵌合溝３５内に嵌合させるとともに、底板部３２を係止リブ４４と係止縁部４５との間で上下に挟むようにしながらスライドさせる。カバー３１に正しく組み付けられた保護部材４０は、接続端部２８を異物の干渉から保護可能な保護形態となる。
【００２１】
保護部材４０をカバー３１に取り付けた後は、ストッパ１３を遮断位置まで下降させ、着脱口３６（つまり、カバー３１に対する保護部材４０の着脱経路）をストッパ１３によって遮断する。この状態では、保護部材４０は、嵌合溝３５から抜き取ろうとしてもストッパ１３に突き当たるので、保護部材４０のカバー３１外への離脱が阻止される。また、係止リブ４４が嵌合溝３５における上面側の開口縁に係止するので、保護部材４０はカバー３１から下方への離脱を規制されている。さらに、支持板部４１（嵌合溝３５）よりも前方に突出している保護板部４３の係止縁部４５が、底板部３２の底面（係止リブ４４とは反対側の面）に対して当接又は接近して対向しているので、保護部材４０は、嵌合溝３５を支点として前方（接続端部２８に接近する方向）へ傾動する動き規制されている。これにより、保護部材４０は、カバー３１に対して相対移動を規制された保護形態に保持される。
【００２２】
保護部材４０が保護形態に保持された状態では、支持板部４１が、その左右方向における全領域に亘って嵌合溝３５の内部に収容されるとともに、接続端部２８の後方で且つ接続端部２８に接近した位置に配置される。また、保護板部４３が、接続端部２８の側方で且つ接続端部２８に接近した位置に配置され、支持板部４１と保護板部４３の下端は接続端部２８の下端よりも下方に位置する。したがって、接続端部２８に対して後方、側方又は下方から異物が接近しても、その異物は、接続端部２８に到達する前に、支持板部４１、保持板部又は水平板部４２に突き当たることになる。これにより、接続端部２８に対する異物の干渉が阻止される。
【００２３】
接続端部２８に対し、水道管から延びた給水配管（図示省略）を接続端部２８の流入ポートに接続する作業や、ストレーナ３０を着脱する作業など、接続端部２８に関する各種作業を行う場合には、フロントプレートを上昇させて、ストッパ１３を退避位置へ退避させる。これにより、着脱口３６が開放状態となるので、保護部材４０を嵌合溝３５に沿ってスライドさせれば、カバー３１から外すことができる。カバー３１から外して解除形態へ変位させた保護部材４０は、接続端部２８を保護する必要がなければ、カバー３１から外したままにしておけばよい。勿論、接続端部２８に関する各種作業を行った後、再び、保護部材４０をカバー３１に取り付けることも可能である。
【００２４】
上述のように本実施形態１の保護構造Ａにおいては、給水装置２０と一体をなして便器本体１０に対して着脱可能であり、給水機能部２１を覆うとともに接続端部２８を外面側へ突出させるカバー３１と、カバー３１の外方において接続端部２８の近傍に位置することにより接続端部２８を異物の干渉から保護する保護形態と、接続端部２８から遠ざかって接続端部２８の保護を解除する解除形態との間での変位が可能な保護部材４０とが設けられている。
【００２５】
この構成によれば、給水装置２０を便器本体１０に取り付ける前は、保護部材４０を保護形態に保持しておくことにより、接続端部２８に対する異物の干渉を防止することができ、また、給水装置２０を便器本体１０に取り付けた後は、保護部材４０を、保護形態から解除形態へ変位させて接続端部２８から遠ざければ、接続端部２８に関する各種作業を行う際に、保護部材４０が作業の邪魔にならずに済む。
【００２６】
＜実施形態２＞
次に、本発明を具体化した実施形態２を図４〜図６を参照して説明する。本実施形態２の保護構造Ｂは、カバー５０のうち保護部材６０（本発明の構成要件である保護手段）を支持する構造、及び保護部材６０の形状を、上記実施形態１とは異なる構成としたものである。その他の構成については上記実施形態１と同じであるため、同じ構成については、同一符号を付し、構造、作用及び効果の説明は省略する。
【００２７】
カバー５０の底板部５１のうち、底板部５１の後縁と、接続端部２８を突出させている貫通孔３４との間の領域には、後縁に沿って延びる嵌合溝５３が形成されている。嵌合溝５３のうち左右両端部を除いた大部分の領域は左右方向に直線状に延びているが、嵌合溝５３の左右両端部は、前方へ略四半円弧状に屈曲した形状となっている。
【００２８】
保護部材６０は、カバー５０とは別体部品として成形された合成樹脂製の単一部品であり、板厚方向を前後方向に向けた支持板部６１と、支持板部６１の左右両側縁部から前方へ略四半円弧状に延出した弧状縁部６２と、支持板部６１の下端縁から前方へ四半円弧状に延出するとともに左右両端部を左右両弧状縁部６２の下端縁に連ねた形態の補強部６３とを有している。支持板部６１及び弧状縁部６２の板厚寸法（前後方向の寸法）は、嵌合溝５３の溝幅寸法と同じか、それよりも少し小さい寸法とされている。
【００２９】
支持板部６１の上端縁には、支持板部６１から前方と後方へ張り出した形態であって左右方向に延びる一対の係止リブ６４が形成されている。同じく支持板部６１には、その上端部であって係止リブ６４よりも低い位置から前方へ水平に突出した形態の上昇規制突部６５が形成されている。上昇規制突部６５と係止リブ６４の上下間隔は、底板部５１の板厚寸法と同じか、それよりも少し大きい寸法である。また、支持板部６１には、その下端部に近い位置において前方へ突出した形態の下降規制突部６６が形成されている。上昇規制突部６５と下降規制突部６６は、左右方向に延びるリブ状又は、エンボス状の突起からなる。
【００３０】
かかる保護部材６０は、常にカバー５０に取り付けられた状態に保たれており、接続端部２８を異物の干渉から保護可能な保護形態（図４を参照）と、接続端部２８の保護を解除する解除形態（図５を参照）との間で上下方向に変位させることができる。保護部材６０が保護形態となっているときは、係止リブ６４が、底板部５１における嵌合溝５３の開口縁に対して上から係止するとともに、上昇規制突部６５が、底板部５１における嵌合溝５３の開口縁に対して上から係止する。この係止リブ６４と上昇規制突部６５の係止作用により、保護部材６０は、カバー５０に対する上下移動を規制され、保護形態に保持される。
【００３１】
保護部材６０が保護形態に保持された状態では、支持板部６１が、接続端部２８の後方で且つ接続端部２８に接近した位置に配置され、支持板部６１の下端は接続端部２８の下端よりも下方に位置する。したがって、接続端部２８に対して後方又は下方から異物が接近しても、その異物は、接続端部２８に到達する前に、支持板部６１又は補強部６３に突き当たることになり、これにより、接続端部２８に対する異物の干渉が阻止される。
【００３２】
また、保護部材６０の大部分を占める支持板部６１は平板状をなしているのであるが、支持板部６１の補強手段として、支持板部６１の下端縁からは補強部６３がリブ状に突出し、支持板部６１の左右両側縁からは弧状縁部６２がリブ状に突出しているので、支持板部６１は、異物からの押圧力を受けても湾曲変形や屈曲変形を生じる虞がない。
【００３３】
接続端部２８に対し、水道管から延びた給水配管（図示省略）を接続端部２８の流入ポートに接続する作業や、ストレーナを着脱する作業など、接続端部２８に関する各種作業を行う場合には、保護部材６０を押し上げて解除形態とする。このとき、保護部材６０に対し、上昇規制突部６５と嵌合溝５３の開口縁との係止力を上回る上向きの押圧力を付与すれば、上昇規制突部６５と嵌合溝５３の開口縁との係止が解除され、保護部材６０を上昇させることができる。
【００３４】
保護部材６０が解除形態に変位すると、下降規制突部６６が、底板部５１の上面における嵌合溝５３の開口溝に係止することにより、保護部材６０はカバー５０に対する下降を規制されて解除形態に保持される。この状態では、接続端部２８の近傍には保護部材６０が存在しないので、接続端部２８に対する各種作業を行う際に、保護部材６０が邪魔にならずに済む。尚、解除形態へ変位させた保護部材６０は、接続端部２８を保護する必要がなければ、解除形態に保持したままにしておけばよいが、接続端部２８に関する各種作業を行った後、再び、下降させて保護形態へ変位させることもできる。
【００３５】
＜実施形態３＞
次に、本発明を具体化した実施形態３を図７〜図１０を参照して説明する。本実施形態３の保護構造Ｃは、カバー７０のうち保護部８０（本発明の構成要件である保護手段）を支持する構造、及び保護部８０の形状を、上記実施形態１とは異なる構成としたものである。その他の構成については上記実施形態１と同じであるため、同じ構成については、同一符号を付し、構造、作用及び効果の説明は省略する。
【００３６】
本実施形態３では、保護部８０が合成樹脂製のカバー７０と一体に成形されている。カバー７０の底板部７１のうち、底板部７１の後縁と、接続端部２８を突出させている貫通孔３４との間の領域には、後縁に沿って下方へリブ状に突出した形態の連結部７２が一体に形成されている。一方、保護部８０は、板厚方向を前後方向に向けた平板状の支持板部８１と、支持板部８１の左右両側縁部から前方へ略四半円弧状に延出した弧状縁部８２とを有している。支持板部８１の上端縁は連結部７２に連なっており、この連結部７２を介して保護部８０とカバー７０とが一体化されている。そして、保護部８０がカバー７０と一体化されている状態が、保護部８０の保護形態（図７，９を参照）となる。
【００３７】
保護部８０が保護形態となっているときは、支持板部８１が、接続端部２８の後方で且つ接続端部２８に接近した位置に配置され、左右両弧状縁部８２が、接続端部２８の側方で且つ接続端部２８に接近した位置に配置され、支持板部８１と弧状縁部８２の下端が、接続端部２８の下端よりも下方に位置する。したがって、接続端部２８に対して後方、側方又は下方から異物が接近しても、その異物は、接続端部２８に到達する前に、支持板部８１又は弧状縁部８２に突き当たることになり、これにより、接続端部２８に対する異物の干渉が阻止される。
【００３８】
また、図７に示すように、保護部８０が保護形態となっているときには、連結部７２（支持板部８１）よりも前方へ突出している左右両弧状縁部８２の上端縁８３が、底板部７１の底面に対して接近して対向するように位置している。したがって、保護部８０に対して後方からの押圧力が作用し、連結部７２が曲げ変形を生じながら保護部８０が連結部７２を支点として前方へ傾動しても、連結部７２が破損に至る前に、弧状縁部８２の上端縁８３が底板部７１に対して下方から当接し、それ以上の保護部８０の傾動が阻止される。しかも、保護部８０の大部分を占める支持板部８１は平板状をなしているのであるが、支持板部８１の補強手段として、支持板部８１の左右両側縁から弧状縁部８２が前方へリブ状に突出しているので、支持板部８１は湾曲変形や屈曲変形を生じる虞がない。したがって、保護部８０による保護機能の信頼性は高い。
【００３９】
接続端部２８に対し、水道管から延びた給水配管（図示省略）を接続端部２８の流入ポートに接続する作業や、ストレーナを着脱する作業など、接続端部２８に関する各種作業を行う場合には、保護部８０をカバー７０から分離させて解除形態（図８，１０を参照）とする。このとき、保護部８０に対し前方から後方に向かう押圧力を付与し、連結部７２を支点として保護部８０を後方へ大きく傾動させれば、連結部７２が破断され、保護部８０はカバー７０から分離した解除形態へ変位する。
【００４０】
＜他の実施形態＞
本発明は上記記述及び図面によって説明した実施形態に限定されるものではなく、例えば次のような実施形態も本発明の技術的範囲に含まれる。
（１）上記実施形態１〜３では、接続端部が給水機能部から下方へ突出する場合について説明したが、本発明は、接続端部が給水機能部から側方へ突出する場合にも適用できる。この場合、接続端部はカバーの側面からカバー外へ突出した形態となる。
（２）上記実施形態１〜３では、カバーを便器本体に取り付けた状態において、カバーを構成する底板部が便器本体の上面とほぼ同じ高さとなるようにしたが、本発明は、カバーの底板部が便器本体の上面より低い高さとなる場合にも適用することができる。
（３）上記実施形態１〜３では、保護手段が、保護形態のとき接続端部の後方に位置するようにしたが、保護形態の保護手段が、接続端部の前方や側方に位置するようにしてもよい。
（４）上記実施形態１，２では、保護部材を合成樹脂製としたが、保護部材は、合成樹脂製に限らず、金属製であってもよい。
（５）上記実施形態３では、保護部を合成樹脂製としたが、保護部材は、合成樹脂製に限らず、金属製であってもよい。
（６）上記実施形態１では、カバーに対する保護手段の着脱方向を、接続端部の突出方向と交差する方向としたが、カバーに対する保護手段の着脱方向は、接続端部の突出方向と概ね平行な方向であってもよい。
（７）上記実施形態１では、ストッパを、便器本体に対して便座及び便蓋と共に昇降するフロントプレートに形成したが、ストッパは、フロントプレートとは別体の部品であってもよい。
（８）上記実施形態１では、ストッパの移動方向を接続端部の突出方向と概ね平行な方向としたが、ストッパの移動方向は接続端部の突出方向と交差する方向であってもよい。この場合、カバーに対する保護手段の着脱方向は、接続端部の突出方向と交差する方向であってもよく、接続端部の突出方向と概ね平行な方向であってもよい。
【符号の説明】
【００４１】
Ａ…保護構造
１０…便器本体
１１…ロータンク（洗浄機構）
１２…局部洗浄機構（洗浄機構）
１３…ストッパ
２０…給水装置
２１…給水機能部
２８…接続端部
３１…カバー
４０…保護部材（保護手段）
Ｂ，Ｃ…保護構造
５０，７０…カバー
６０…保護部材（保護手段）
８０…保護部（保護手段） 
【図１】
0005875134.tif 000002
【図２】
0005875134.tif 000003
【図３】
0005875134.tif 000004
【図４】
0005875134.tif 000005
【図５】
0005875134.tif 000006
【図６】
0005875134.tif 000007
【図７】
0005875134.tif 000008
【図８】
0005875134.tif 000009
【図９】
0005875134.tif 000010
【図１０】
0005875134.tif 000011